(57)【要約】【課題】  テレビ番組を録画する煩雑さを解消するとともに、無線携帯端末から視聴したい番組を選択して、自宅以外の場所であっても録画したテレビ番組を視聴する。【解決手段】  無線携帯端末１０は、テレビ番組に関する任意の嗜好情報を含む所定の個人嗜好情報を入力する手段と、入力した個人嗜好情報を前記嗜好サーバに送信する手段と、を有し、嗜好サーバ２１は、無線携帯端末１０から個人嗜好情報を受信する手段と、受信した個人嗜好情報にもとづいて録画対象となるテレビ番組データを抽出する手段と、抽出した番組データにもとづいて所定の録画予約番組リストを生成する手段と、生成した録画予約番組リストを前記テレビ録画機に送信する手段と、を有し、テレビ録画機３０は、嗜好サーバ２１から録画予約番組リストを受信する手段と、受信した録画予約番組リストに示されたテレビ番組を録画する手段と、を有する。【選択図】  図１
2006067255.tif 000002
【特許請求の範囲】
【請求項１】
任意の個人情報を入力可能な無線携帯端末と、
前記無線携帯端末とネットワークを介して接続されるサービスセンタに備えられるテレビ放送番組自動録画サーバと、
前記無線携帯端末及び前記テレビ放送番組自動録画サーバとネットワークを介して接続されるテレビ録画機と、を備え、
前記無線携帯端末は、
テレビ番組に関する任意の嗜好情報を含む所定の個人嗜好情報を入力する手段と、入力した個人嗜好情報を前記テレビ放送番組自動録画サーバに送信する手段と、を有し、
前記テレビ放送番組自動録画サーバは、
前記無線携帯端末から個人嗜好情報を受信する手段と、受信した個人嗜好情報にもとづいて録画対象となるテレビ番組データを抽出する手段と、抽出した番組データにもとづいて所定の録画予約番組リストを生成する手段と、生成した録画予約番組リストを前記テレビ録画機に送信する手段と、を有し、
前記テレビ録画機は、
前記テレビ放送番組自動録画サーバから前記録画予約番組リストを受信する手段と、受信した録画予約番組リストに示されたテレビ番組を録画する手段と、を有する
ことを特徴とするテレビ放送番組自動録画システム。
【請求項２】
前記テレビ録画機は、
録画を終了した録画済み番組リストを生成する手段と、生成した録画済み番組リストを前記無線携帯端末に送信する手段と、この無線携帯端末から録画済み番組再生要求を受信する手段と、受信した再生要求に係る録画済み番組を再生して前記無線携帯端末に送信する手段と、をさらに有し、
前記無線携帯端末は、
前記テレビ録画機から前記録画済み番組リストを受信する手段と、受信した録画済み番組リストから再生を要求する任意のテレビ番組を選択する手段と、選択された再生要求に係るテレビ番組情報を前記テレビ録画機に送信する手段と、このテレビ録画機から再生要求に係る録画済み番組を受信し再生する手段と、をさらに有する請求項１記載のテレビ放送番組自動録画システム。
【請求項３】
前記テレビ放送番組自動録画サーバは、
前記無線携帯端末から送信される評価情報を受信する手段と、この評価情報を格納する格納手段と、をさらに有する請求項１又は２記載のテレビ放送番組自動録画システム。
【請求項４】
前記テレビ録画機が、前記サービスセンタに備えられる請求項１、２又は３記載のテレビ放送番組自動録画システム。
【請求項５】
無線携帯端末及びテレビ録画機とネットワークを介して接続されるサービスセンタに備えられるテレビ放送番組自動録画サーバであって、
このテレビ放送番組自動録画サーバは、
前記無線携帯端末から個人嗜好情報を受信する手段と、受信した個人嗜好情報にもとづいて録画対象となるテレビ番組データを抽出する手段と、抽出したテレビ番組データにもとづいて所定の録画予約番組リストを生成する手段と、生成した録画予約番組リストを前記テレビ録画機に送信する手段と、
を有することを特徴とするテレビ放送番組自動録画サーバ。
【請求項６】
前記テレビ放送番組自動録画サーバは、
前記無線携帯端末から送信される評価情報を受信する手段と、この評価情報を格納する格納手段を有する請求項５記載のテレビ放送番組自動録画サーバ。
【請求項７】
無線携帯端末を、任意の個人情報を入力する手段として機能させ、
テレビ放送番組自動録画サーバを、前記無線携帯端末から前記個人情報を受信する手段として機能させ、
テレビ録画機を、テレビ番組を録画する手段として機能させるためのテレビ放送番組自動録画プログラムであって、
前記無線携帯端末を、テレビ番組に関する任意の嗜好情報を含む所定の個人嗜好情報を入力する手段と、入力した個人嗜好情報を前記テレビ放送自動録画サーバに送信する手段として機能させ、
前記テレビ放送番組自動録画サーバを、前記無線携帯端末から前記個人嗜好情報を受信する手段と、受信した個人嗜好情報にもとづいて録画対象となるテレビ番組データを抽出する手段と、抽出したテレビ番組データにもとづいて所定の録画予約番組リストを生成する手段と、生成した録画予約番組リストを前記テレビ録画機に送信する手段として機能させ、
前記テレビ録画機を、前記テレビ放送番組自動録画サーバから前記録画予約番組リストを受信する手段と、受信した録画予約番組リストに示されたテレビ番組を録画する手段として機能させることを特徴とするテレビ放送番組自動録画プログラム。
【請求項８】
前記テレビ録画機を、録画を終了した録画済み番組リストを生成する手段と、生成したこの録画済み番組リストを前記無線携帯端末に送信する手段と、この無線携帯端末から録画済み番組再生要求を受信する手段と、受信した再生要求に係る録画済み番組を再生して前記無線携帯端末に送信する手段として、さらに機能させ、
前記無線携帯端末を、前記テレビ録画機から前記録画済み番組リストを受信する手段と、受信したこの録画済み番組リストから再生を要求する任意のテレビ番組を選択する手段と、選択された再生要求に係るテレビ番組情報を前記テレビ録画機に送信する手段と、このテレビ録画機から再生要求に係る前記録画済み番組を受信し再生する手段として、さらに機能させる請求項７記載のテレビ放送番組自動録画プログラム。
【請求項９】
前記テレビ放送番組自動録画サーバを、前記無線携帯端末から送信される評価情報を受信する手段と、この評価情報を格納する格納手段として、さらに機能させる請求項６又は７記載のテレビ放送番組自動録画プログラム。
【発明の詳細な説明】
【技術分野】
【０００１】
本発明は、個人の嗜好に合うテレビ番組をサーバで抽出して番組表を作成し、その録画表にもとづいてテレビ録画機などでテレビ番組を録画し、無線携帯端末で再生するテレビ放送番組自動録画システム、テレビ放送番組自動録画サーバおよびテレビ放送番組自動録画プログラムに関する。
【背景技術】
【０００２】
ビデオデッキ、ＤＶＤレコーダなどテレビ番組を録画できる機器に、個人の嗜好に合うテレビ放送をあらかじめ自動録画しようとする場合には、嗜好に合うテレビ番組を新聞、雑誌などであらかじめ検索し、録画予約しなければならなかった。
しかし、嗜好に合うテレビ番組の存在を見逃して、録画予約できず、視聴したいテレビ番組を録画できない場合があった。
【０００３】
そこで、無線携帯端末からサービスサーバに任意のテレビ番組のキーワードをあらかじめ登録し、サービスサーバがテレビ番組のデータベースの中から、キーワードとマッチするテレビ番組を抽出し、無線携帯端末に送信する番組データ配信システムが提供されている（例えば、特許文献１参照。）。
これにより、無線携帯端末で興味のありそうなテレビ番組の情報を受けることができるようになり、嗜好に合うテレビ番組を見逃すといった問題を解決できるようになった。
【０００４】
【特許文献１】特開２００３−１７９９０７号公報（第１頁、第１２図）
【発明の開示】
【発明が解決しようとする課題】
【０００５】
しかしながら、上記番組データ配信システムでは、サービスサーバが抽出したテレビ番組情報は、個人の無線携帯端末に送信され、その情報を受けた無線携帯端末のユーザは、サービスサーバに対してテレビ番組の録画予約をしなければ、テレビ番組を録画することができなかった。すなわち、この番組データ配信システムは、サービスサーバにより抽出されたテレビ番組情報が頻繁に無線携帯端末に送信されるのみで、テレビ番組の録画操作は、その都度、受信者がテレビ録画するか否か判断した上で行わなければならず、煩雑であった。
また、上記番組データ配信システムでは、無線携帯端末から嗜好に合うテレビ番組を自宅等のテレビ録画機に録画することは可能であっても、無線携帯端末で録画したテレビ番組を視聴することができなかった。このため、無線携帯端末のユーザは、外出中の任意の時間、例えば、電車の中や待ち合わせ時など、テレビ番組を視聴可能な時間に視聴することができなかった。
【０００６】
本発明は、以上のような従来の技術が有する問題を解決するために提案されたものであり、サービスサーバである嗜好サーバによって抽出された嗜好に合うテレビ番組の番組リストを無線携帯端末に送信する一方、抽出されたテレビ番組を自宅等のテレビ録画機に自動的に録画することができ、これによってテレビ番組を録画する煩雑さを解消するとともに、無線携帯端末から視聴したいテレビ番組を選択して、自宅以外の場所であっても録画したテレビ番組を視聴することを目的とする。
【課題を解決するための手段】
【０００７】
上記目的を達成するため、本発明のテレビ放送番組自動録画システムは、任意の個人情報を入力可能な無線携帯端末と、前記無線携帯端末とネットワークを介して接続されるサービスセンタに備えられる嗜好サーバと、前記無線携帯端末及び前記嗜好サーバとネットワークを介して接続されるテレビ録画機と、を備え、前記無線携帯端末は、テレビ番組に関する任意の嗜好情報を含む所定の個人嗜好情報を入力する手段と、入力した個人嗜好情報を前記嗜好サーバに送信する手段と、を有し、前記嗜好サーバは、前記無線携帯端末から個人嗜好情報を受信する手段と、受信した個人嗜好情報にもとづいて録画対象となるテレビ番組データを抽出する手段と、抽出した番組データにもとづいて所定の録画予約番組リストを生成する手段と、生成した録画予約番組リストを前記テレビ録画機に送信する手段と、を有し、前記テレビ録画機は、前記嗜好サーバから前記録画予約番組リストを受信する手段と、受信した録画予約番組リストに示されたテレビ番組を録画する手段と、を有する構成としてある。
このような構成からなる本発明のテレビ放送番組自動録画システムによれば、テレビ録画機は、テレビ放送番組自動録画サーバである嗜好サーバで作成された録画予約番組リストにもとづいてテレビ番組を自動的に録画することができることから、ユーザはテレビ番組を録画する煩雑さから解消される。
【０００８】
また、本発明のテレビ放送番組自動録画システムによれば、前記テレビ録画機は、録画を終了した録画済み番組リストを生成する手段と、生成した録画済み番組リストを前記無線携帯端末に送信する手段と、この無線携帯端末から録画済み番組再生要求を受信する手段と、受信した再生要求に係る録画済み番組を再生して前記無線携帯端末に送信する手段と、をさらに有し、前記無線携帯端末は、前記テレビ録画機から前記録画済み番組リストを受信する手段と、受信した録画済み番組リストから再生を要求する任意のテレビ番組を選択する手段と、選択された再生要求に係るテレビ番組情報を前記テレビ録画機に送信する手段と、このテレビ録画機から再生要求に係る録画済み番組を受信し再生する手段と、をさらに有する構成としてあるとしてある。
このような構成からなる本発明のテレビ放送番組自動録画システムによれば、テレビ録画機で作成された録画済み番組リストは、無線携帯端末に送信され、無線携帯端末において録画済み番組リストから再生する録画済みテレビ番組を選択し、再生することができる。これにより、無線携帯端末から録画テレビ番組を再生し、ユーザは無線携帯端末でテレビ番組を視聴することができる。
【０００９】
また、本発明のテレビ放送番組自動録画システムによれば、前記テレビ放送番組自動録画サーバは、前記無線携帯端末から送信される評価情報を受信する手段と、この評価情報を格納する格納手段と、をさらに有する構成としてある。
このような構成からなる本発明のテレビ放送番組自動録画システムによれば、無線携帯端末で再生させた録画テレビ番組を視聴したユーザの評価情報をテレビ放送番組自動録画サーバである嗜好サーバで受信し、この評価情報を格納することができる。これにより、テレビ放送番組自動録画サーバである嗜好サーバはユーザの評価情報を記録することができる。
【００１０】
また、本発明のテレビ放送番組自動録画システムは、前記テレビ録画機が、前記サービスセンタに備えられる構成としてある。
このような構成からなる本発明のテレビ放送番組自動録画システムによれば、無線携帯端末のユーザが自宅等にテレビ録画機等を有していなくても、サービスセンタにテレビ録画機が備えられている場合には、テレビ番組を録画することができる。すなわち、テレビ録画機と同様の機能を得られる録画サーバ、記録サーバ、配信サーバがサービスセンタに有すれば、テレビ番組を自動的に録画することができる。したがって、無線携帯端末のユーザはテレビ番組を録画する煩雑さから解消され、無線携帯端末で録画したテレビ番組を視聴することができる。
【００１１】
本発明のテレビ放送番組自動録画サーバは、無線携帯端末及びテレビ録画機とネットワークを介して接続されるサービスセンタに備えられるテレビ放送番組自動録画サーバであって、このテレビ放送番組自動録画サーバは、前記無線携帯端末から個人嗜好情報を受信する手段と、受信した個人嗜好情報にもとづいて録画対象となるテレビ番組データを抽出する手段と、抽出したテレビ番組データにもとづいて所定の録画予約番組リストを生成する手段と、生成した録画予約番組リストを前記テレビ録画機に送信する手段と、を有する構成としてある。
このような構成からなるテレビ放送番組自動録画サーバによれば、テレビ録画機に、テレビ放送番組自動録画サーバである嗜好サーバで作成された録画予約番組リストにもとづいてテレビ番組を自動的に録画させることができることから、ユーザはテレビ番組を録画する煩雑さから解消される。
【００１２】
また、本発明のテレビ放送番組自動録画サーバは、前記無線携帯端末から送信される評価情報を受信する手段と、この評価情報を格納する格納手段を有する構成としてある。
このような構成からなるテレビ放送番組自動録画サーバによれば、テレビ放送番組自動録画サーバである嗜好サーバは、無線携帯端末のユーザの視聴した録画テレビ番組の評価情報を無線携帯端末から受信して、記録することができる。
【００１３】
また、本発明のテレビ放送番組自動録画プログラムは、無線携帯端末を、任意の個人情報を入力する手段として機能させ、テレビ放送番組自動録画サーバを、前記無線携帯端末から前記個人情報を受信する手段として機能させ、テレビ録画機を、テレビ番組を録画する手段として機能させるためのテレビ放送番組自動録画プログラムであって、前記無線携帯端末を、テレビ番組に関する任意の嗜好情報を含む所定の個人嗜好情報を入力する手段と、入力した個人嗜好情報を前記テレビ放送自動録画サーバに送信する手段として機能させ、前記テレビ放送番組自動録画サーバを、前記無線携帯端末から前記個人嗜好情報を受信する手段と、受信した個人嗜好情報にもとづいて録画対象となるテレビ番組データを抽出する手段と、抽出したテレビ番組データにもとづいて所定の録画予約番組リストを生成する手段と、生成した録画予約番組リストを前記テレビ録画機に送信する手段として機能させ、前記テレビ録画機を、前記テレビ放送番組自動録画サーバから前記録画予約番組リストを受信する手段と、受信した録画予約番組リストに示されたテレビ番組を録画する手段として機能させる構成としてある。
このような構成からなるテレビ放送番組自動録画プログラムによれば、テレビ録画機は、テレビ放送番組自動録画サーバである嗜好サーバで作成された録画予約番組リストにもとづいてテレビ番組を自動的に録画することができることから、ユーザはテレビ番組を録画する煩雑さから解消される。
【００１４】
また、本発明のテレビ放送番組自動録画プログラムは、前記テレビ録画機を、録画を終了した録画済み番組リストを生成する手段と、生成したこの録画済み番組リストを前記無線携帯端末に送信する手段と、この無線携帯端末から録画済み番組再生要求を受信する手段と、受信した再生要求に係る録画済み番組を再生して前記無線携帯端末に送信する手段として、さらに機能させ、前記無線携帯端末を、前記テレビ録画機から前記録画済み番組リストを受信する手段と、受信したこの録画済み番組リストから再生を要求する任意のテレビ番組を選択する手段と、選択された再生要求に係るテレビ番組情報を前記テレビ録画機に送信する手段と、このテレビ録画機から再生要求に係る前記録画済み番組を受信し再生する手段として、さらに機能させる構成としてある。
このような構成からなる本発明のテレビ放送番組自動録画プログラムによれば、無線携帯端末から録画テレビ番組を再生し、ユーザは無線携帯端末でテレビ番組を視聴することができる。
【００１５】
また、本発明のテレビ放送番組自動録画プログラムは、前記テレビ放送番組自動録画サーバを、前記無線携帯端末から送信される評価情報を受信する手段と、この評価情報を格納する格納手段として、さらに機能させる構成としてある。
このような構成からなる本発明のテレビ放送番組自動録画プログラムによれば、テレビ放送番組自動録画サーバである嗜好サーバにユーザの評価情報を記録することができる。
【発明の効果】
【００１６】
以上のように、本発明のテレビ放送番組自動録画システム、テレビ放送番組自動録画サーバ、テレビ放送番組自動録画プログラムによれば、テレビ放送番組自動録画サーバである嗜好サーバから抽出した嗜好に合うテレビ番組をテレビ録画機や録画サーバで自動的に録画することによって、テレビ番組を録画する煩雑さから解消される。また、無線携帯端末から視聴したい番組を選択して、自宅以外の場所であっても録画したテレビ番組を視聴することができる。
【発明を実施するための最良の形態】
【００１７】
以下、本発明に係るテレビ放送番組自動録画システム、テレビ放送番組自動録画サーバおよびテレビ放送番組自動録画プログラムの好ましい実施形態について、図面を参照して説明する。
なお、本発明に係るテレビ放送番組自動録画システムは、テレビ放送番組自動録画プログラムに制御されたコンピュータにより実現される。
具体的には、サービスセンタ２０のテレビ放送番組自動録画機能は、後述する嗜好サーバ２１の記憶手段２１５や嗜好サーバ２１ａの記憶手段２１５ａなどに記録されたテレビ放送番組自動録画プログラムにより実現される。
【００１８】
テレビ放送番組自動録画プログラムは、嗜好サーバ２１などに読み込まれることにより、コンピュータの各構成要素に指令を送り、所定の手段、例えば、後述する嗜好サーバ２１の通信手段２１１における個人嗜好情報の受信手段、作成手段２１２におけるデータマイニングによる録画予約番組リストの作成手段などを機能させる。これによって、テレビ放送番組自動録画機能は、ソフトウエアであるテレビ放送番組自動録画プログラムとハードウエア資源である嗜好サーバ２１とが協働した具体的手段である嗜好サーバの各構成手段により実現される。
【００１９】
なお、テレビ放送番組自動録画機能を実現するためのテレビ放送番組自動録画プログラムは、コンピュータのＲＯＭやハードディスクに記憶される他、コンピュータ読み取り可能な記録媒体、外部記憶装置及び可搬記録媒体等に格納することができる。
【００２０】
外部記録装置とは、ＣＤ−ＲＯＭ等の記録媒体を内蔵し、嗜好サーバ２１などに外部接続されるメモリ増設装置をいう。一方、可搬記録媒体とは、記録媒体駆動装置（ドライブ装置）に装着でき、かつ、持ち運び可能な記録媒体であって、たとえば、フレキシブルディスク、メモリーカード、光磁気ディスク等をいう。
【００２１】
そして、記録媒体に記録されたプログラムは、コンピュータのＲＡＭにロードされて、ＣＰＵにより実行される。この実行により、上述した本実施形態の嗜好サーバ２１などの機能が実現される。
さらに、コンピュータでテレビ放送番組自動録画プログラムをロードする場合、他のコンピュータで保有されたテレビ放送番組自動録画プログラムを、通信回線を利用して自己の有するＲＡＭや外部記憶装置にダウンロードすることもできる。このダウンロードされたテレビ放送番組自動録画プログラムも、ＣＰＵにより実行され、本実施形態の嗜好サーバ２１などのテレビ放送番組自動録画機能を実現する。
【００２２】
［第一実施形態］
図１は、本発明の第一実施形態に係るテレビ放送番組自動録画システムのブロック図である。また、図２は、無線携帯端末、サービスセンタおよびテレビ録画機の構成を示すブロック図である。
本発明のテレビ放送番組自動録画システム１は、無線携帯端末１０、サービスセンタ２０、テレビ録画機３０を備えている。そして、これら無線携帯端末１０、サービスセンタ２０、テレビ録画機３０は、それぞれネットワーク４０を介して接続されている。
【００２３】
無線携帯端末１０は、自宅等にテレビ録画機３０を有するユーザが携帯、所持等するものであって、例えば、携帯電話機、ＰＨＳ、ＰＤＡ、ノートパソコンなどネットワーク４０と接続可能な情報通信装置が挙げられる。無線携帯端末１０は、個人情報として、無線携帯端末のユーザ個人の氏名、住所、年齢、性別等を入力することができる。
無線携帯端末１０は、個人嗜好情報を入力し、また、テレビ録画機３０から送信された録画予約番組リストや録画済み番組リストにもとづいて、視聴するテレビ番組を選択し、無線携帯端末１０の表示画面で、テレビ番組を再生する。
【００２４】
無線携帯端末１０は、図２（ａ）に示すように、入力手段１０１、通信手段１０２、選択手段１０３、再生手段１０４、記憶手段１０５、制御手段１０６を有する。
入力手段１０１は、個人嗜好情報を入力する手段である。具体的には、個人のテレビ番組についての嗜好についての情報を示す嗜好情報や、録画するトータル録画時間を入力する手段である。通信手段１０２は、無線携帯端末のユーザがテレビ番組を選択するときの選択情報などを送信し、また、サービスセンタ２０から録画予約番組リストなどを受信する手段である。選択手段１０３は、無線携帯端末１０のユーザが視聴する録画されたテレビ番組を選択する手段である。再生手段１０４は、選択した個人嗜好テレビ番組を再生するための手段である。
【００２５】
記憶手段１０５は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｉｄ  Ｄｉｓｃ  Ｄｒｉｖｅ）などで構成することができ、無線携帯端末１０の有する各機能を実行するためのプログラムを記憶する。
制御手段１０６は、例えば、ＣＰＵ（Ｃｅｎｔｏｒａｌ  Ｐｒｏｃｅｓｓｉｎｇ  Ｕｎｉｔ）などで構成することができ、記憶手段１０５に記憶されているプログラムを読み込んで実行することにより、無線携帯端末１０の各構成部に指令を送り、又は自ら動作して、無線携帯端末１０の有する各機能を実行・制御する。
【００２６】
サービスセンタ２０は、無線携帯端末１０に情報を提供するサービスセンタであって、嗜好サーバ２１、個人嗜好データベース（個人嗜好ＤＢ）２２および番組情報データベース（番組情報ＤＢ）２３とを有する。
個人嗜好ＤＢ２２は、無線携帯端末１０から送信された個人嗜好情報を受信し、個人嗜好情報にもとづいてデータテーブルを作成する。
また、番組情報ＤＢ２３は、テレビ番組情報を登録し、テレビ番組情報にもとづいてデータテーブルを作成する。ここで、テレビ番組情報とは、テレビ番組の番組内容を示す情報であり、テレビ番組には、固定テレビ向け番組の他、携帯電話向けテレビ番組も含まれる。
【００２７】
個人嗜好ＤＢ２２に記録される個人嗜好情報のデータテーブルの構成例を図３に、また、番組情報ＤＢ２３に記録されるテレビ番組のデータテーブルの構成例を図４に示す。
個人嗜好ＤＢ２２に記録される個人嗜好情報のデータテーブルは、ユーザ名、ユーザアドレス、録画機アドレス、番組キーワード、録画時間を有する。
ユーザ名は、本発明に係るテレビ放送番組自動録画システムの無線携帯端末１０のユーザを特定する名前である。ユーザアドレスは、本発明に係るテレビ番組システムの無線携帯端末１０を特定するアドレスである。録画機アドレスは、本発明に係るテレビ番組システムのテレビ録画機３０を特定するアドレスである。
なお、ユーザ名、ユーザアドレス、録画機アドレスは、本発明に係るテレビ放送番組自動録画システムを使用する前に、あらかじめ登録してもよいし、個人嗜好情報である嗜好情報や録画時間を入力する際に登録してもよい。
【００２８】
番組キーワードは、嗜好に合うテレビ番組を嗜好サーバ２１に抽出させるための嗜好情報である。番組キーワードは、一又は二以上のキーワードを無線携帯端末１０から入力することができる。
ここで、嗜好情報とは、個人のテレビ番組についての嗜好についての情報であり、具体的には、テレビ番組の分野、ジャンル、タイトル、カテゴリー、対象、用途、場所などをいう。
【００２９】
録画時間は、テレビ録画機３０で録画するテレビ番組のトータル録画時間である。
録画時間の入力がある場合には、録画予約番組リストに挙げられたテレビ番組を、録画時間の範囲内で録画する。録画時間の入力がない場合には、嗜好サーバ２１でデータマイニングして録画予約番組リストに作成された全てのテレビ番組を録画する。なお、テレビ録画機の記憶容量を越える場合など、全てのテレビ番組を録画できないときには、録画可能な範囲内で録画する。
【００３０】
番組情報ＤＢ２３に記録されるデータテーブルは、図４に示すように、番組ＩＤ、テレビ番組名、放送時間、チャンネル、番組キーワードを有する。
番組ＩＤは、テレビ番組を特定するＩＤであり、放送日、放送時間は、テレビ番組の放送日、放送される時間を表す。チャンネルは、そのテレビ番組の放送局のチャンネルを表し、番組キーワードは、嗜好サーバ２１、２１ａでデータマイニングするときに使用されるキーワードである。
【００３１】
嗜好サーバ２１は、個人嗜好ＤＢ２２と番組情報ＤＢ２３に記録されたデータテーブルのデータにもとづいて、データマイニングを行い、録画予約番組リストを作成するテレビ録画番組自動録画サーバである。
ここで、データマイニングとは、テレビ番組情報の中から、嗜好情報と一致するテレビ番組を抽出することをいう。
個人嗜好情報とテレビ番組からデータマイニングされたテレビ番組の録画予約番組リストの構成例を図５に示す。録画予約番組リストは、番組ＩＤ、テレビ番組名、放送時間、チャンネル、録画時間を有する。
【００３２】
嗜好サーバ２１は、図２（ｂ）に示すように、通信手段２１１、作成手段２１２、記録手段２１３、格納手段２１４、記憶手段２１５、制御手段２１６を有する。
通信手段２１１は、無線携帯端末１０から送信された嗜好情報などを受信し、また、録画予約番組リストなどを送信する手段である。
作成手段２１２は、録画するテレビ番組をデータマイニングして録画予約番組リストを作成する手段である。
記録手段２１３は、作成した録画予約番組リストなどを記録する手段である。
格納手段２１４は、無線携帯端末１０で録画したテレビ番組を視聴したユーザが無線携帯端末１０から送信した評価情報を個人嗜好ＤＢ２２に記録する手段である。
【００３３】
記憶手段２１５は、例えば、ＲＯＭ、ＲＡＭ、ＨＤＤなどで構成することができ、所定のデータや、嗜好サーバ２１の有する各種機能を実行するためのプログラムを記憶する。この記憶手段が記憶する所定のデータとしては、録画予約番組リストなどがある。制御手段２１６は、例えばＣＰＵなどで構成することができ、記憶手段２１５に記憶されているプログラムを読み込んで実行することにより、嗜好サーバ２１の各構成部に指令を送り、又は自ら動作して、嗜好サーバ２１の有する各種機能を実行・制御する。
【００３４】
テレビ録画機３０は、無線携帯端末１０のユーザが、ユーザの自宅などに所有等するものであって、例えば、ビデオデッキ、ＤＶＤレコーダなどが挙げられる。テレビ録画機３０は、サービスセンタ２０から受信した録画予約番組リストにもとづいて、テレビ番組を録画するとともに、録画済み番組リストを作成し、無線携帯端末１０に録画済み番組リストを送信する。また、テレビ録画機３０は、無線携帯端末１０からテレビ番組の選択情報を受信し、その選択情報にもとづいて録画したテレビ番組の内容を無線携帯端末１０に送信する。
【００３５】
テレビ録画機３０は、図２（ｃ）に示すように、通信手段３０１、録画手段３０２、記録手段３０３、選択手段３０４、作成手段３０５、記憶手段３０６、制御手段３０７を有する。
受信手段３０１は、サービスセンタ２０から録画予約番組リストなどを受信し、また、無線携帯端末１０に録画したテレビ番組などを送信する手段である。録画手段３０２は、テレビ番組を録画する手段である。記録手段３０３は、録画したテレビ番組を記録する手段である。選択手段３０４は、無線携帯端末１０からの選択情報にもとづいて、録画したテレビ番組の中からテレビ番組を選択する手段である。作成手段３０５は、録画したテレビ番組から録画済み番組リストを作成する手段である。
【００３６】
記憶手段３０６は、例えば、ＲＯＭ、ＲＡＭ、ＨＤＤなどで構成することができ、テレビ録画機３０の有する各種機能を実行するためのプログラムを記憶する手段である。制御手段３０７は、テレビ録画機３０の制御手段であり、例えば、ＣＰＵなどで構成することができ、記憶手段３０６に記憶されているプログラムを読み込んで実行することにより、テレビ録画機３０の各構成部に指令を送り、又は自ら動作して、テレビ録画機３０の有する各種機能を実行・制御する。
【００３７】
次に、本発明の第一実施形態に係るテレビ放送番組自動録画システムにおけるテレビ放送番組自動録画方法の処理手順について、図６ａ、図６ｂを参照して説明する。
同図は、本実施形態に係るテレビ放送番組自動録画方法の処理手順を示す動作手順図である。
まず、無線携帯端末１０において、無線携帯端末１０のウェブページ閲覧機能を使用して、嗜好サーバ２１にアクセスし（ステップ１）、嗜好サーバ２１からサービス画面を無線携帯端末１０へダウンロードし（ステップ２）、テレビ放送番組自動録画サービス画面を表示する（ステップ３）。嗜好サーバ２１からの指示に従い、個人嗜好情報を無線携帯端末１０から入力し（ステップ４）、入力した個人嗜好情報は、無線携帯端末１０から個人嗜好ＤＢに送信され（ステップ５、６）、個人嗜好ＤＢ２２で登録される（ステップ７）。
番組情報ＤＢ２３では、テレビ番組情報がリアルタイム又は定期的に登録される（ステップ８）。
【００３８】
つぎに、嗜好サーバ２１から個人嗜好ＤＢ２２へデータ抽出要求がされ（ステップ９）、個人嗜好ＤＢ２２で個人嗜好情報が抽出され（ステップ１０）、個人嗜好ＤＢ２２から個人嗜好サーバ２１へ個人嗜好情報が送信される（ステップ１１、１２）。
嗜好サーバ２１から番組情報ＤＢ２３へデータ送信要求がされ（ステップ１３）、この要求にもとづき、番組情報ＤＢ２３から嗜好サーバ２１へテレビ番組情報が送信される（ステップ１４、１５）。
【００３９】
個人嗜好ＤＢから受信した個人嗜好情報と番組情報ＤＢ２３から受信したテレビ番組情報にもとづいて、嗜好サーバ２１の制御手段２１４により、テレビ番組がデータマイニングされる（ステップ１６）。
データマイニングされたテレビ番組は、嗜好サーバ２１の作成手段２１２により、録画予約番組リストに作成され（ステップ１７）、作成された録画予約番組リストは、嗜好サーバ２１の記憶手段２１５に記憶される（ステップ１８）。
嗜好サーバ２１に記憶された録画予約番組リストは、テレビ録画機３０に送信されされ（ステップ１９、２０）、テレビ録画機３０で録画予約番組リストが登録される（ステップ２１）。
【００４０】
テレビ録画機３０では、録画予約番組リストにもとづきテレビ番組が録画され（ステップ２２）、録画されたテレビ番組の内容は、テレビ録画機３０に記憶される（ステップ２３）。
ユーザは、無線携帯端末１０からテレビ録画機３０へ録画予約番組リストの送信を要求すると（ステップ２４）、テレビ録画機３０から無線携帯端末１０へ録画予約番組リストが送信される（ステップ２５、２６）。
また、ユーザは、無線携帯端末１０からテレビ録画機３０へ録画済み番組リストを要求すると（ステップ２７）、テレビ録画機３０で録画済み番組リストが作成され（ステップ２８）、テレビ録画機３０から無線携帯端末１０へ録画済み番組リストが送信される（ステップ２９、３０）。
これにより、無線携帯端末１０のユーザは、嗜好サーバ２１から受信した録画予約番組リストによってテレビ録画機３０で録画される予定のテレビ番組や、録画済み番組リストによってテレビ録画機３０で録画されたテレビ番組を確認することができる。
【００４１】
次に、無線携帯端末１０のユーザが、無線携帯端末１０に送信された録画済み番組リストの中から、無線携帯端末１０で再生するテレビ番組を選択することにより（ステップ３１）、無線携帯端末１０の選択手段１０３により再生するテレビ番組の選択情報が生成され（ステップ３２）、その選択情報は、無線携帯端末１０からテレビ録画機３０に送信される（ステップ３３、３４）。
テレビ録画機３０は、選択情報にもとづいて選択されたテレビ番組の内容をテレビ録画機３０の選択手段３０４で選択し（ステップ３５）、無線携帯端末１０に送信する（ステップ３６、３７）。
これにより、無線携帯端末１０によって選択したテレビ番組の内容をテレビ録画機３０から受信し、無線携帯端末１０において、選択されたテレビ番組の内容を再生し（ステップ３８）、ユーザはテレビを視聴することができる。
【００４２】
テレビ番組の内容を無線携帯端末１０に送信する場合には、データをストリーミングにより送信してもよい。
ここで、ストリーミングとは、サーバ上にある映像や音声といったデジタルデータをインターネットなどのネットワークを経由してダウンロードしながら順次再生することができる技術をいう。したがって、テレビ番組の内容を無線携帯端末１０で受信しながら同時に再生を行うことができるため、大容量のデータあっても、無線携帯端末１０でダウンロードを待つことなく再生することができる。
【００４３】
無線携帯端末１０のユーザは、テレビ番組を視聴した後、無線携帯端末１０から視聴したテレビ番組の評価情報を入力することができる（ステップ３９）。入力された個人嗜好情報は、嗜好サーバ２１に送信され（ステップ４０、４１）、嗜好サーバ２１の格納手段２１４により個人嗜好ＤＢ２２に記録される（ステップ４２）。
【００４４】
以上説明したように、本実施形態に係るテレビ放送番組自動録画システムによれば、無線携帯端末１０から個人の嗜好に合わせたキーワード等をテレビ放送番組自動録画サーバである嗜好サーバ２１に登録しておき、嗜好サーバ２１は、その情報にもとづいて自動的にテレビ録画機３０にテレビ番組を自動的に録画し、さらに、録画した番組を無線携帯端末１０で再生することができる。
これにより、テレビ番組を録画する煩雑さから解消される。また、無線携帯端末１０から視聴したい番組を選択して、自宅以外の場所であっても録画したテレビ番組を視聴することができる。
【００４５】
［第二実施形態］
次に、本発明の第二実施形態に係るテレビ放送番組録画システムについて説明する。
本実施形態は、テレビ録画機３０がサービスセンタ２０に備えられた場合の実施形態を示すものである。
図７は、本発明の第二実施形態に係るテレビ放送番組自動録画システムのブロックであり、（ａ）は、サービスセンタにテレビ録画機を有する場合を、（ｂ）は、テレビ録画機をサーバに置き換えた場合を示すものである。
【００４６】
図７（ａ）に示す場合は、自宅などにテレビ録画機を所有等しなくても、サービスセンタ２０において、自動的にテレビ番組を録画し、無線携帯端末１０でその録画したテレビ録画番組を再生して、視聴することができる。
なお、図７（ａ）に示す場合のテレビ放送番組自動録画サーバである嗜好サーバとテレビ録画機のブロック図は、それぞれ、図２に示す嗜好サーバ、テレビ録画機のブロック図と同一であるため、省略する。また、図７（ａ）に示す場合のテレビ放送番組自動録画方法の処理手順は、本発明の第一実施形態に係るテレビ放送番組自動録画システムにおけるテレビ放送番組自動録画方法の処理手順と同一であり、省略する。
【００４７】
図７（ｂ）に示す場合は、サービスセンタ２０にテレビ録画機３０と同様の機能を有する録画サーバ２４、記録サーバ２５、配信サーバ２６を有する場合であり、サービスセンタ２０において、自動的にテレビ番組を録画し、無線携帯端末１０でその録画したテレビ録画番組を再生して、視聴することができる。
図８は、図７（ｂ）に示す場合の各サーバのブロック図であり、（ａ）はテレビ放送番組自動録画サーバである嗜好サーバ、（ｂ）は録画サーバ、（ｃ）は記録サーバ、（ｄ）は配信サーバである。
なお、本実施形態に係るテレビ放送番組自動録画システムにおけるテレビ放送番組自動録画方法のうち、第一実施形態と同様の部分については、図中で第一実施形態と同一符号を付し、詳細な説明は省略する。
【００４８】
本発明は、図７（ｂ）に示すように、無線携帯端末１０とサービスセンタ２０で構成されている。無線携帯端末１０とサービスセンタ２０の嗜好サーバ２１ａと配信サーバ２６はネットワーク４０を介して接続されている。
サービスセンタ２０は、嗜好サーバ２１ａ、個人嗜好ＤＢ２２、番組情報ＤＢ２３、録画サーバ２４、記録サーバ２５および配信サーバ２６とを有する。これらの各サーバは、サービスセンタ２０において、ＬＡＮなどのネットワークによって相互に接続されている。
【００４９】
個人嗜好ＤＢ２２は、無線携帯端末１０から送信された個人嗜好情報を受信し、個人嗜好情報にもとづいてデータテーブルを作成する。また、番組情報ＤＢ２３は、テレビ番組情報を登録し、テレビ番組情報にもとづいてデータテーブルを作成する。
【００５０】
嗜好サーバ２１ａは、個人嗜好ＤＢ２２と番組情報ＤＢ２３に記録されたデータテーブルのデータにもとづいて、データマイニングを行い、録画予約番組リストを作成するテレビ放送番組自動録画サーバである。
嗜好サーバ２１は、図８（ａ）に示すように、作成手段２１１ａ、記録手段２１２ａ、格納手段２１３ａ、通信手段２１４ａ、記憶手段２１５ａ、制御手段２１６ａを有する。
【００５１】
作成手段２１１ａは、録画するテレビ番組をデータマイニングして録画予約番組リストを作成する手段であり、記録手段２１２ａは、作成した録画予約番組リストなどを記録する手段である。格納手段２１３ａは、無線携帯端末１０のユーザが視聴したテレビ番組の評価情報を個人嗜好ＤＢ２２に記録する手段である。通信手段２１４ａは、例えば、個人嗜好情報を受信し、また、録画予約番組リストを送信する手段である。記憶手段２１５ａは、嗜好サーバ２１の有する各種機能を実行するためのプログラムを記憶する手段である。制御手段２１６ａは、嗜好サーバ２１ａを制御するための手段であり、例えばＣＰＵなどで構成することができ、記憶手段２１５ａに記憶されているプログラムを読み込んで実行することにより、嗜好サーバ２１ａの各構成部に指令を送り、又は自ら動作して、嗜好サーバ２１ａの有する各種機能を実行・制御する。
【００５２】
録画サーバ２４は、テレビ番組を録画し、録画したテレビ番組の内容を記録サーバに送信する。録画サーバ２４は、図８（ｂ）に示すように、記録手段２４１、録画手段２４２、通信手段２４３、記憶手段２４４、制御手段２４５を有する。
【００５３】
記録手段２４１は、録画予約番組リストを記録する手段であり、録画手段２４１は、テレビ番組の録画をする手段である。また、通信手段２４２は、録画したテレビ番組の内容などを送受信する手段であり、記憶手段２４３は、録画サーバ２４の有する各種機能を実行するためのプログラムを記憶する手段である。制御手段２４４は、録画サーバ２５を制御するための手段であり、例えばＣＰＵなどで構成することができ、記憶手段２１３に記憶されているプログラムを読み込んで実行することにより、録画サーバ２４の各構成部に指令を送り、又は自ら動作して、録画サーバ２４の有する各種機能を実行・制御する。
【００５４】
記録サーバ２５は、録画されたテレビ番組を記録し、無線携帯端末１０からの要求に応じて録画済み番組リストなどを送信し、また、録画されたテレビ番組の内容を送信する。
記録サーバ２５は、図８（ｃ）に示すように、記録手段２５１、作成手段２５２、選択手段２５３、通信手段２５４、記憶手段２５５、制御手段２５６を有する。
【００５５】
記録手段２５１は、録画したテレビ番組などの記録をする手段であり、作成手段２５２は、録画済み番組リストを作成する手段である。また、選択手段２５３は、無線携帯端末１０から送信されるテレビ番組選択情報にもとづき、選択された録画テレビ番組を選択する手段であり、通信手段２５４は、例えば、選択情報を受信し、また、選択された録画テレビ番組を送信する手段を有する。さらに、記憶手段２５５は、記録サーバ２５の有する各種機能を実行するためのプログラムを記憶する手段であり、制御手段２５６は、記録サーバ２５を制御する手段であり、例えばＣＰＵなどで構成することができ、記憶手段２５５に記憶されているプログラムを読み込んで実行することにより、記録サーバ２５の各構成部に指令を送り、又は自ら動作して、記録サーバ２５の有する各種機能を実行・制御する。
【００５６】
配信サーバ２６は、無線携帯端末１０からのデータを受信し、サービスセンタ２０からのデータを無線携帯端末１０へ送信する。
配信サーバ２６は、図８（ｄ）に示すように、通信手段２６１、記憶手段２６２、制御手段２６３とを有する。
【００５７】
通信手段２６１は、例えば、無線携帯端末１０から選択されたテレビ番組の選択情報を受信し、また、選択された録画テレビ番組を送信する手段である。記憶手段２６２は、配信サーバ２６の有する各種機能を実行するためのプログラムを記憶する手段である。制御手段２６３は、配信サーバ２６を制御する手段であり、例えばＣＰＵなどで構成することができ、記憶手段２６２に記憶されているプログラムを読み込んで実行することにより、配信サーバ２６の各構成部に指令を送り、又は自ら動作して、配信サーバ２６の有する各種機能を実行・制御する。
【００５８】
図９ａ、図９ｂは、本実施形態に係るテレビ放送番組自動録画システムにおけるテレビ放送番組自動録画方法の処理手順を示す動作手順図である。
無線携帯端末１０から嗜好サーバ２１ａへアクセスし、嗜好サーバ２１ａにて録画予約番組リストを記録するまでの処理手順（ステップ５１〜ステップ６８）は、第一実施形態と同様である。
第二実施形態では、嗜好サーバ２１ａで作成された録画予約番組リストは、録画サーバ２４と記録サーバ２５に送信される（ステップ６９、７０、７１）。録画サーバ２４では、録画予約番組リストが記録され（ステップ７２）、録画予約番組リストにもとづいてテレビ番組が録画される（ステップ７３）。録画されたテレビ番組は、記録サーバ２５に送信され（ステップ７４、７５）録画テレビ番組は、記録サーバ２５に記録される（ステップ７６）。
【００５９】
無線携帯端末１０から録画予約番組リストの要求が配信サーバ２６に送信されると（ステップ７７）、配信サーバ２６は、録画サーバ２４に録画予約番組リストの要求を送信する（ステップ７８）。録画予約番組リストの要求を受信した録画サーバ２４は、録画予約番組リストを配信サーバ２６に送信し（ステップ７９、８０）、録画予約番組リストを受信した配信サーバ２６は、無線携帯端末１０へ録画予約番組リストを送信する（ステップ８１、８２）。
【００６０】
また、無線携帯端末から録画済み番組リストの要求が配信サーバ２６に送信されると（ステップ８３）、配信サーバ２６は、記録サーバ２５に録画済み番組リストの要求を送信する（ステップ８４）。録画済み番組リストを受信した記録サーバ２５は、録画予約番組リストを作成し（ステップ８５）、録画済み番組リストを配信サーバ２６に送信する（ステップ８６、８７）。録画済み番組リストを受信した配信サーバ２６は、無線携帯端末１０に録画済み番組リストを送信する（ステップ８８、８９）。
【００６１】
次に、無線携帯端末１０のユーザが、無線携帯端末１０に送信された録画済み番組リストの中から、再生するテレビ番組を選択することにより（ステップ９０）、無線携帯端末１０の選択手段１０３により再生するテレビ番組の選択情報が生成され（ステップ９１）、その選択情報は、無線携帯端末１０から配信サーバ２６に送信される（ステップ９２、９３）。テレビ番組選択情報を受けた配信サーバ２６は、記録サーバ２５に選択情報を送信し（ステップ９４、９５）、選択情報を受けた記録サーバ９５は、記録サーバ２５の選択手段２５３によって、選択された録画テレビ番組を選択し（ステップ９６）、これを配信サーバ２６に送信する（ステップ９７，９８）。配信サーバ２６が受信した録画テレビ番組は、無線携帯端末１０に送信される（ステップ９９、１００）。
これにより、無線携帯端末１０によって選択したテレビ番組の内容を配信サーバ２６から受信し、無線携帯端末１０において、選択されたテレビ番組の内容を再生し（ステップ１０１）、ユーザはテレビ番組の内容を視聴することができる。
【００６２】
テレビ番組を視聴した無線携帯端末１０のユーザは、視聴したテレビ番組の評価を無線携帯端末１０から入力することができ（ステップ１０２）、この評価情報は、個人嗜好ＤＢに送信され（ステップ１０３、１０４）、個人嗜好ＤＢ２２の個人嗜好情報に記録される（ステップ１０５）。
【００６３】
以上説明したように、本実施形態に係るテレビ放送番組自動録画システムによれば、自宅等にテレビ録画機３０がない場合であっても、無線携帯端末１０から個人の嗜好に合わせたキーワード等を嗜好サーバ２１ａに登録しておき、嗜好サーバ２１ａは、その情報にもとづいてテレビ番組を録画サーバ２４に自動的に録画し、さらに、録画した番組を無線携帯端末１０で再生することができる。
これにより、テレビ番組を録画する煩雑さから解消される。また、無線携帯端末１０から視聴したい番組を選択して、自宅以外の場所であっても録画したテレビ番組を視聴することができる。
【００６４】
以上、本発明のテレビ放送番組自動録画システム、テレビ番組放送番組自動録画サーバおよびテレビ放送番組自動録画プログラムについて、好ましい実施形態を示して説明したが、本発明に係るテレビ放送番組自動録画システム、テレビ放送番組自動録画サーバおよびテレビ放送番組自動録画プログラムは、上述した実施形態にのみ限定されるものではなく、本発明の範囲で種々の変更実施が可能であることは言うまでもない。
例えば、テレビ録画機３０は、ネットワーク４０と接続可能でテレビ番組を録画できる機器であればよく、上述したビデオデッキや、ＤＶＤレコーダの他、例えば、パーソナルコンピュータ等を使用することもできる。
【図面の簡単な説明】
【００６５】
【図１】第一実施形態に係るテレビ放送番組自動録画システムのブロック図である。
【図２】無線携帯端末、嗜好サーバおよびテレビ録画機の構成を示すブロック図である。
【図３】個人嗜好ＤＢに登録されるデータテーブルの構成例を示す図である。
【図４】番組情報ＤＢに登録されるデータテーブルの構成例を示す図である。
【図５】データマイニングされたテレビ番組の録画予約番組リストのデータテーブルの構成例を示す図である。
【図６ａ】第一実施形態に係るテレビ放送番組自動録画システムにおける動作を示す動作手順図である。
【図６ｂ】第一実施形態に係るテレビ放送番組自動録画システムにおける動作を示す動作手順図である。
【図７】第二実施形態に係るテレビ放送番組録画および再生方法のブロック図であり、（ａ）は、サービスサーバにテレビ録画機を有する場合であり、（ｂ）は、テレビ録画機と同様の機能を有する録画サーバ、記録サーバ、配信サーバをサービスサーバに有する場合である。
【図８】嗜好サーバ、録画サーバ、記録サーバおよび配信サーバの構成を示すブロック図である。
【図９ａ】第二実施形態に係るテレビ放送番組自動録画システムにおける動作を示す動作手順図である。
【図９ｂ】第二実施形態に係るテレビ放送番組自動録画システムにおける動作を示す動作手順図である。
【図９ｃ】第二実施形態に係るテレビ放送番組自動録画システムにおける動作を示す動作手順図である。
【図９ｄ】第二実施形態に係るテレビ放送番組自動録画システムにおける動作を示す動作手順図である。
【符号の説明】
【００６６】
１０  無線携帯端末
２０  サービスセンタ
２１、２１ａ  嗜好サーバ
２２  個人嗜好ＤＢ
２３  番組情報ＤＢ
２４  録画サーバ
２５  記録サーバ
２６  配信サーバ
３０  テレビ録画機
４０  ネットワーク
【図１】
2006067255.tif 000003
【図２】
2006067255.tif 000004
【図３】
2006067255.tif 000005
【図４】
2006067255.tif 000006
【図５】
2006067255.tif 000007
【図６ａ】
2006067255.tif 000008
【図６ｂ】
2006067255.tif 000009
【図７】
2006067255.tif 000010
【図８】
2006067255.tif 000011
【図９ａ】
2006067255.tif 000012
【図９ｂ】
2006067255.tif 000013
【図９ｃ】
2006067255.tif 000014
【図９ｄ】
2006067255.tif 000015